(57)【特許請求の範囲】
【請求項１】
おむつ着用者の身体を被覆する前胴周り域と後胴周り域と股下域とを有し、前記着用者の肌に当接する内面と前記着用者の着衣に当接する外面との間に体液吸収性芯材が設けられており、前記内面には、前記股下域の幅を二等分する中心線を挟んで向かい合い前記前胴周り域と前記後胴周り域とにまで延びており前記内面からの起立性向を有する一対の弾性防漏カフが形成されている使い捨ておむつであって、
前記防漏カフのそれぞれが、前記中心線に平行して延びる帯状の第１シート片と前記第１シート片とは別体の第２シート片とによって形成されていて、前記第１、第２シート片のそれぞれが前記前後胴周り域と前記股下域とにおいて前記内面に対して固定状態にある底縁部と、前記前後胴周り域と前記股下域とのうちの少なくとも前記股下域において前記内面に対して非固定状態にある頂縁部とを有していて、前記第１シート片の前記底縁部が前記第２シート片の前記底縁部から離間して前記中心線寄りに位置しており、前記第１シート片と前記第２シート片とは、前記中心線に向かって前記内面上に倒伏して重なり合う状態において、それぞれの前記底縁部から前記中心線寄りに離間していて前記中心線に平行している部位において互いに接合しているとともに、前記第１、第２シート片における一方の前記頂縁部が他方の頂縁部よりも前記中心線寄りに位置しており、前記他方の頂縁部には前記中心線に平行する弾性部材が伸長状態で取り付けられ、
前記第１シート片には、前記第２シート片と互いに接合している部位と前記第１シート片の前記底縁部との間の部位に前記中心線に平行する弾性部材が伸長状態で取り付けられていることを特徴とする前記おむつ。
【請求項２】
前記一方の頂縁部にも前記中心線に平行する弾性部材が伸長状態で取り付けられている請求項１記載のおむつ。
【請求項３】
一対の前記第１シート片は、前記股下域から前記前胴周り域にかけて前記頂縁部どうしの離間寸法が大きく広がるように傾斜して配置してある請求項２記載のおむつ。
【発明の詳細な説明】
【技術分野】
【０００１】
この発明は、弾性防漏カフを有する使い捨ておむつに関する。
【背景技術】
【０００２】
おむつ内面からの起立が可能な防漏カフを有する使い捨ておむつは、従来よく知られている。このカフは、伸長状態でおむつに取り付けられている弾性部材が収縮することによっておむつ内面から起立するように作られており、起立したときには、おむつ内面上の体液が横方向から漏れることを防止する。
【０００３】
例えば、特開平１−１６２８０７号公報（特許文献１）に開示された使い捨てのおむつは、股領域に前後方向へ延びるフローティング内側カフスを有する。フローティング内側カフスは、トップシートの一部分からなるカフス層と、カフス層の下に設けられたベース層と、カフス層とベース層との間に介在して前後方向へ延びる伸縮自在な弾性部材とを有する。伸縮自在な弾性部材は、ベース層に貼着されていない非貼着部分が収縮すると、カフス層をベース層から離間させるように持ち上げる。カフス層はまた、伸縮自在な弾性部材からおむつの幅方向面側へ所要寸法だけ離れた部位がベース層に接合している。それゆえ、カフス層は、それが持ち上げられると、断面形状が逆Ｖ字形を画き、おむつの内側と外側とに位置する二重の壁からなる防漏カフを形成する。
【０００４】
また、特開平１−２１３４０２号公報（特許文献２）に開示された使い捨てのおむつは、サイドフラップがおむつ着用者の肌に接する第１のシートと、第１のシートの下側に重ねられた第２のシートと有し、そのサイドフラップには、外側縁の近傍に第１の弾性部材が取り付けられており、第１の弾性部材と液吸収性コアとの間に第２の弾性部材が取り付けられている。第１のシートは第２の弾性部材からその両側へ所要寸法離れた部位で第２のシートに接合しており、第２の弾性部材が収縮すると、その部位と部位との間で第１のシートが上方へ隆起して、おむつの内側と外側とに位置する二重の壁からなる防漏カフを形成する。
【発明の開示】
【発明が解決しようとする課題】
【０００５】
特許文献１，２に開示された二重の壁からなり弾性を有する防漏カフは、おむつの両側部分においておむつの内面と外面とを形成しているシートの間に弾性部材を介在させ、その弾性部材が収縮するときに、内面を形成しているシートを下から持ち上げるようにして形成されるものであるから、防漏カフの高さは、おむつの両側部分の幅によって制限される。例えば、防漏カフの丈を高くしようとするときには、特におむつの股下域において両側部分の幅を大きくとらなければならない。しかし、股下域の幅を大きくすることには、おむつの設計上において限界がある。一方、そのように限界のある股下域において防漏カフの高さを高くしようとすると、股下域における体液吸収性芯材の幅を狭くしなければならず、幅の狭い芯材を有するおむつでは、股下域における体液吸収容量が一般的には低下する。そこで、この発明では、二重の壁からなる防漏カフを形成する場合に生じるこれら従来技術における問題の解消を課題にしている。
【課題を解決するための手段】
【０００６】
前記課題解決のために、この発明が対象とするのは、おむつ着用者の身体を被覆する前胴周り域と後胴周り域と股下域とを有し、前記着用者の肌に当接する内面と前記着用者の着衣に当接する外面との間に体液吸収性芯材が設けられており、前記内面には、前記股下域の幅を二等分する中心線を挟んで向かい合い前記前胴周り域と前記後胴周り域とにまで延びており前記内面からの起立性向を有する一対の弾性防漏カフが形成されている使い捨ておむつである。
【０００７】
かかる使い捨ておむつにおいて、この発明が特徴とするところは、次のとおりである。前記防漏カフのそれぞれが、前記中心線に平行して延びる帯状の第１シート片と前記第１シート片とは別体の第２シート片とによって形成されている。前記第１、第２シート片のそれぞれは、前記前後胴周り域と前記股下域とにおいて前記内面に対して固定状態にある底縁部と、前記前後胴周り域と前記股下域とのうちの少なくとも前記股下域において前記内面に対して非固定状態にある頂縁部とを有している。前記第１シート片の前記底縁部は、前記第２シート片の前記底縁部から離間して前記中心線寄りに位置しており、前記第１シート片と前記第２シート片とは、前記中心線に向かって前記内面上に倒伏して重なり合う状態において、それぞれの前記底縁部から前記中心線寄りに離間していて前記中心線に平行している部位において互いに接合しているとともに、前記第１、第２シート片における一方の前記頂縁部が他方の頂縁部よりも前記中心線寄りに位置しており、前記他方の頂縁部には前記中心線に平行する弾性部材が伸長状態で取り付けられ、前記第１シート片には、前記第２シート片と互いに接合している部位と前記第１シート片の前記底縁部との間の部位に前記中心線に平行する弾性部材が伸長状態で取り付けられている。
【０００８】
この発明の好ましい実施態様において、前記一方の頂縁部にも前記中心線に平行する弾性部材が伸長状態で取り付けられている。
【０００９】
この発明の好ましい他の実施態様において、一対の前記第１シート片は、前記股下域から前記前胴周り域にかけて前記頂縁部どうしの離間寸法が大きく広がるように傾斜して配置してある。
【発明の効果】
【００１０】
この発明に係る使い捨ておむつでは、防漏カフが第１シート片と第１シート片とは別体の第２シート片とによって形成されており、第１シート片の底縁部は第２シート片の底縁部から離間していておむつの中心線寄りに位置している。かような防漏カフは、第１、第２シート片のうちの少なくとも一方の幅を大きくすると、防漏カフの丈が高くなる。第１シート片と第２シート片とは、おむつの内面と協働して空間を作り、防漏カフを二重の壁からなるものにして、第２シート片が第１シート片の体液による汚れを隠蔽する手段となる。
【００１１】
第１、第２シート片それぞれの頂縁部に弾性部材が伸長状態で取り付けられている態様のこの発明では、第１、第２シート片のいずれか一方の頂縁部にのみ弾性部材が伸長状態で取り付けられている態様に比べて、防漏カフをおむつの内面から起立させる力が強くなり、かつ、それぞれの頂縁部をおむつ着用者の肌に弾性的に密着させることができる。
【００１２】
第１シート片に対して、第１シート片が第２シート片と接合している部位と第１シート片の底縁部との間に、中心線に平行する弾性部材が伸長状態で取り付けられている態様のこの発明では、その弾性部材の収縮によって、弾性部材が取り付けられている部位の近傍で第１シート片にギャザーが生じ、そのギャザーが第１シート片と第２シート片との接近を妨げて、第１シート片と第２シート片との間に形成される空間を大きく広げることに役立つ。
【発明を実施するための最良の形態】
【００１３】
添付の図面を参照して、この発明に係る使い捨ておむつの詳細を説明すると、以下のとおりである。
【００１４】
図１，２において、図１は、使い捨ておむつ１の部分破断平面図であり、図２は図１における部分ＩＩの拡大図である。おむつ１は、おむつ着用者の肌に当接する内面を形成している透液性内面シート２と、着衣に当接する外面を形成している不透液性外面シート３と、これら両シート２，３間に介在する体液吸収性芯材４とを有する。おむつ１はまた、前後方向Ｌと幅方向Ｗとを有し、その前後方向Ｌには前胴周り域６と、後胴周り域７と、これら両域６，７間に介在する股下域８とが形成されている。前後胴周り域６，７それぞれの端縁部１１，１２では、胴周り弾性部材１３，１４が内外面シート２，３の間にあって、これらシート２，３の少なくとも一方に伸長状態で接合している。股下域８の両側縁部１６では、脚周り弾性部材１７が内外面シート２，３の間にあって、これら両シート２，３の少なくとも一方に伸長状態で接合している。また、後胴周り域７の両側縁部１８には、前後胴周り域６，７を連結するためのテープファスナ１９が取り付けられている。おむつ１の内面には、おむつ１の幅を二等分する中心線Ｃ−Ｃの両側それぞれに、防漏カフ２０が形成されている。
【００１５】
防漏カフ２０は、図１において互いに重なり合って前後方向Ｌへ延びる互いに別体の帯状シート片からなる内側シート２１と外側シート２２とを有する。内側シート２１は、好ましくは不透液性シートからなるもので、前後端縁部２６，２７と外側縁部２８とがホットメルト接着剤２４によって表面シート２に接合している。内側縁部２９および内側縁部２９と外側縁部２８との間の中間部分３１は、表面シート２に接合しておらず、その中間部分３１には、前後方向Ｌへ延びる中間部弾性部材３２がホットメルト接着剤（図示せず）によって伸長状態で取り付けられている。外側シート２２もまた、好ましくは不透液性シートからなるもので、前後端縁部３６，３７と外側縁部３８とがこれらと重なり合う表面シート２および／または内側シート２１にホットメルト接着剤３４によって接合している。外側シート２２の内側縁部３９は、表面シート２にも内側シート２１にも接合していないが、内側縁部３９と外側縁部３８との間の中間部分４１は、内側シート２１の内側縁部２９に対してホットメルト接着剤４３によって接合している。内側縁部３９には、縁部弾性部材４２がホットメルト接着剤（図示せず）によって伸長状態で取り付けられている。
【００１６】
図３は、図１のＩＩＩ−ＩＩＩ線切断面を示す図である。ただし、断面形状の理解を容易にするために、防漏カフ２０が内面シート２から僅かに立ち上がった状態で示され、内側シート２１と外側シート２２とが僅かに離間した状態で示されている。内面シート２に対して接着剤２４によって固定されている内側シート２１の外側縁部２８は、内面シート２に対して接着剤３４によって固定されている外側シート２２の外側縁部３８よりも中心線（図１参照）の側へ偏倚している。内側シート２１の内側縁部２９は、外側シート２２の中間部４１に接合していて、外側シート２２の内側縁部３９が内側シート２１の内側縁部２９から中心線Ｃに向かって延出している。かような防漏カフ２０では、内側シート２１と外側シート２２と内面シート２とによって囲まれた空間５１が形成される。図から明らかなように、表面シート２と裏面シート３とは、ホットメルト接着剤５２，５３を介して芯材４に接合しており、芯材４の外側ではホットメルト接着剤５４を介して互いに接合している。
【００１７】
図４は、図１のおむつ１が表面シート２を内側にして前後方向Ｌにおいて湾曲したときの防漏カフ２０の状態を示す図３と同様な図である。かような防漏カフ２０の状態は、おむつ１が着用されたときの状態にほぼ匹敵するものでもある。おむつ１では、それが湾曲すると、縁部弾性部材４２と中間弾性部材３２とが収縮することに伴い、防漏カフ２０は、図示の如く内面シート２から起立して空間５１が大きく広がり、内側シート２１と外側シート２２とからなる二重の壁を有するものとなる。起立した防漏カフ２０では、内側シート２１の外側縁部２８と外側シート２２の外側縁部３８とのそれぞれが底縁部となり、外側シート２２の内側縁部３９が頂縁部となり、内側シート２１の内側縁部２９が外側シート２２との接合部となる。かような状態にある防漏カフ２０は、おむつ１において幅方向の外側へ向かって流れる体液を内側シート２１によって止めることができる。内側シート２１がその体液によって汚れた場合でも、外側シート２２がその汚れた内側シート２１を隠蔽しているので、内側シート２１の汚れは目立つことがない。また、体液が内側シート２１を透過した場合でも、その体液は、外側シート２２によって流れを止められて空間５１の外へ出ることがないから、おむつ１から漏れるということもない。おむつ１の着用中の内側シート２１と外側シート２２とは、常に一体となって動くので、空間５１は消失することがなく、外側シート２２は確実に汚れを隠蔽し、体液の漏れを防ぐことができる。縁部弾性部材４２は、外側シート２２の内側縁部３９を収縮させてそこにギャザー（図示せず）を形成する。中間部弾性部材３２は、内側シート２１の中間部３１を収縮させてそこにギャザー（図示せず）を形成し、このギャザーは、内側シート２１と外側シート２２とが接近したときに、これら両シート２１，２２が密着することを妨げることができる。両シート２１，２２が密着することなく、互いに離間していれば、外側シート２２による汚れ隠蔽効果が確実になる。かような防漏カフ２０は外側シート２２の幅を大きくすることによって、防漏カフ２０の丈を簡単に高くすることができる。おむつ１が着用された状態にあるときの防漏カフ２０は、図に示される内側シート２１と外側シート２２との内面シート２上における離間寸法ｍが３〜３０ｍｍの範囲にあることが好ましく、防漏カフ２０の内面シート２からの起立寸法ｎ、即ち図４における内面シート２から外側シート２２の内側縁部３９までの丈は１０〜１００ｍｍの範囲にあることが好ましい。
【００１８】
図５，６，７は、この発明の実施態様の一例を示す図であって、図５は図１と同様な図であり、図６は図５のＶＩ−ＶＩ線切断面を示す図３と同様な図であり、図７は図５のおむつ１が湾曲したときの防漏カフ２０の状態を示す図４と同様な図である。図５，６において明らかなように、防漏カフ２０の内側シート２１は、その内側縁部２９が後胴周り域７と股下域８とにおいて外側シート２２の内側縁部３９から中心線Ｃに向かうように延出している。ただし、内側シート２１は、股下域８から前胴周り域６にかけての排尿部位において内側縁部２９どうしの離間寸法が大きく広がるように、図５において明らかなように中心線Ｃに対して傾斜している。内側シート２１と外側シート２２とは、互いの中間部３１，４１どうしがホットメルト接着剤５７を介して接合しており、内側シート２１には、その内側縁部２９に第２の縁部弾性部材５６が伸長状態で取り付けられている。ただし、この場合の内側シート２１には、図３の如き中間部弾性部材３２が省かれている。外側シート２２の内側縁部３９には図３と同様に縁部弾性部材４２が取り付けられている。
【００１９】
おむつ１が湾曲したときの防漏カフ２０は、図６に示されるように、縁部弾性部材４２と第２の縁部弾性部材５６とが収縮することにより、表面シート２から起立しており、内側縁部２９，３９のそれぞれがこれら弾性部材４２，５６の作用下におむつ着用者の肌に密着可能になる。内側シート２１は、尿が排泄される部位において、内側縁部２９どうしがおむつ１の幅方向Ｗで大きく離間するように作られているから（図５参照）、尿を防漏カフ２０どうしの間で確実に吸収される。ただし、図５のおむつ１において、内側縁部２９どうしが平行するものであって、そのように離間していない態様の防漏カフを採用することも可能である。
【００２０】
かように形成されるおむつ１において、透液性の表面シート２には、不織布や開孔プラスチックフィルム等が使用される。不透液性裏面シート３には、プラスチックフィルム、不織布、プラスチックフィルムと不織布とを積層した複合シート等が使用される。芯材４には、粉砕パルプ、粉砕パルプと高吸収性ポリマー粒子との混合物等をティシューペーパや不織布等の透液性に優れたシートまたは透液性と液拡散性とに優れたシートで被覆したものが使用される。防漏カフ２０における内側シート２１と外側シート２２とには不織布やプラスチックフィルムからなり、撥水性、好ましくは撥水性であって不透液性のシートが使用される。また、外側シート２２には、内側シート２１よりも高い通気性のシートを使用することを一例として、不透液性や通気性、柔軟性等に関して性質の異なる内側シート２１と外側シート２２とを使用することもできる。また、この発明において、シート材料どうしの接着を溶着に代えたり、溶着を接着に代えたりすることができる。さらにはまた、この発明は、図示例の如き開放型おむつの他に、パンツ型のおむつで実施することもできる。
【産業上の利用可能性】
【００２１】
この発明によれば、二重の壁を有する防漏カフの丈を高くすることが容易な使い捨ておむつを製造することができる。
【図面の簡単な説明】
【００２２】
【図１】使い捨ておむつの部分破断平面図。
【図２】図１の部分拡大図。
【図３】図１のＩＩＩ−ＩＩＩ線切断面を示す図。
【図４】使い捨ておむつが湾曲したときの防漏カフの状態を示す図３と同様な図。
【図５】実施態様の一例を示す図１と同様な図。
【図６】図５のＶＩ−ＶＩ線切断面を示す図。
【図７】図５のおむつが湾曲したときの防漏カフの状態を示す図４と同様な図。
【符号の説明】
【００２３】
１    使い捨ておむつ
２    内面（内面シート）
３    外面（外面シート）
４    芯材
２０    防漏カフ
２１    第１シート片（内側シート）
２２    第２シート片（外側シート）
２８    底縁部（外側縁部）
２９    頂縁部（内側縁部）
３２    弾性部材
３８    底縁部（外側縁部）
３９    頂縁部（内側縁部）
４２    弾性部材
５６    弾性部材
【図１】
0004801421.tif 000002
【図２】
0004801421.tif 000003
【図３】
0004801421.tif 000004
【図４】
0004801421.tif 000005
【図５】
0004801421.tif 000006
【図６】
0004801421.tif 000007
【図７】
0004801421.tif 000008